(57)【要約】【課題】装置の状態に応じてトレイを自動で引き出すことにより、使い勝手を向上させた光ディスク装置を提供することである。【解決手段】光ディスクを載置して装置本体から引き出す一方、装置本体内に引き込むトレイを備えた光ディスク装置１０において、光ディスクについての操作が可能になった場合に、前記トレイが引き込まれた状態でかつ装置本体内に光ディスクが挿入されていなければ、前記トレイを自動的に引き出すように制御する。【選択図】図１
2012018725.tif 000002
【特許請求の範囲】
【請求項１】
光ディスクを載置して装置本体から引き出す一方、装置本体内に引き込むトレイを備えた光ディスク装置において、
光ディスクについての操作が可能になった場合に、前記トレイが引き込まれた状態でかつ装置本体内に光ディスクが挿入されていなければ、前記トレイを自動的に引き出すことを特徴とする光ディスク装置。
【請求項２】
前記光ディスクについての操作が可能になった場合とは、電源が投入された場合であることを特徴とする請求項１記載の光ディスク装置。
【請求項３】
複数の記録媒体を再生する機能を有する場合、
前記光ディスクについての操作が可能になった場合とは、光ディスクについての操作を有効にする光ディスクキーが押下された場合であることを特徴とする請求項１記載の光ディスク装置。
【請求項４】
前記トレイを自動的に引き出す動作を有効又は無効にするセットアップ機能を備えたことを特徴とする請求項１〜３の何れかに記載の光ディスク装置。
【請求項５】
装置本体に操作部を備え、
前記操作部が操作されて前記光ディスクについての操作が可能になった場合に、前記トレイが引き込まれた状態でかつ装置本体内に光ディスクが挿入されていなければ、前記トレイを自動的に引き出すことを特徴とする請求項１〜４の何れかに記載の光ディスク装置。
【請求項６】
リモコンからの信号を受信するリモコン受信部を備え、
リモコンからの受信信号によって前記光ディスクについての操作が可能になった場合には、前記トレイを自動的に引き出さないことを特徴とする請求項１〜５の何れかに記載の光ディスク装置。
【発明の詳細な説明】
【技術分野】
【０００１】
本発明は、光ディスクを載置して出し入れするトレイを備えた光ディスク装置に関する。
【背景技術】
【０００２】
ＣＤ、ＤＶＤ、ＢＤ（Blu-ray Disc）等の光ディスクを再生するプレーヤや光ディスクを再生及び光ディスクに記録するレコーダなどの光ディスク装置には、光ディスクを載置して出し入れするトレイを備えたものがある。通常、トレイを引き出すためには、リモコン等で開閉キーを操作し、トレイを引き込むためには、開閉キーを操作するかトレイを軽く押し込む操作をするかのどちらかである。そして、このトレイの出し入れに関しては様々な技術が提案されている。
【０００３】
例えば、特許文献１には、トレイにディスクが載置されずにオープン状態に放置されているとき、所定時間を経て警告を発したり、電源パワーを自動遮断させたり、自動再生を開始させたりするディスクトレイ制御装置が開示されている。
【０００４】
特許文献２には、トレイを高速でオープン／クローズさせることができ、また、トレイの高速移動による本体シャーシへの激突や、この激突による騒音の発生も防止できる光ディスク装置が開示されている。
【０００５】
特許文献３には、光ディスクを載置するトレイと、トレイを装置外部から装置内部に搬送するトレイイン動作、及びトレイを装置内部から装置外部に搬送するトレイアウト動作を行う搬送手段と、搬送手段により装置内部に搬送されたトレイ上の光ディスクに記録された情報を読み取る光ディスク情報読取手段と、光ディスク情報読取手段により読み取った情報を再生する再生手段とを備えた光ディスク再生装置において、トレイ上の光ディスクが載置されるべき位置に配設されて、光ディスクがトレイ上の所定位置に載置されている場合にオンの状態となり、光ディスクがトレイ上の所定位置に載置されていない場合にオフの状態となる複数のスイッチと、トレイがトレイアウト動作により装置外部に搬送された後に、上記の各スイッチのオン／オフ状態をチェックして、そのチェック結果に基づいて搬送手段によるトレイイン動作を制御する制御手段とをさらに備え、制御手段は、複数のスイッチのうち全てのスイッチがオンの状態になったとき、その状態になってから所定の時間が経過した後に、搬送手段によるトレイイン動作を自動的に開始すると共に、搬送手段によるトレイイン動作が終了するまで各スイッチのオン／オフ状態のチェックを継続し、いずれかのスイッチのオン／オフ状態が変化した場合に、搬送手段によるトレイイン動作を中止して、搬送手段によるトレイアウト動作を自動的に実行するようにしたものが開示されている。
【０００６】
特許文献４には、ユーザによるリモコンを用いたトレイオープン操作がなされずに、光ディスクが挿入されていて、トレイ自動オープン機能が有効に設定されている状態で、タイマの計測時間がタイムアウト時間を超過すると、光ディスクからの情報の再生中であるか否かを判断し、情報の再生中でなければ、そのときに、ディスクトレイを開いて、光ディスクを排出し、情報の再生中であれば、警告を報知し、その後に情報の再生が終了したときに、ディスクトレイを開いて、光ディスクを排出する光ディスク再生装置が開示されている。
【０００７】
このように、上記の特許文献１はトレイが引き出された状態における制御に関し、特許文献２はトレイの開閉時間を短縮する技術に関し、特許文献３はトレイの引き込み技術に関する。また、特許文献４は光ディスク装置内に光ディスクが残ったままにならないようにする技術に関する。
【先行技術文献】
【特許文献】
【０００８】
【特許文献１】特開２００８−１４６７７８号公報
【特許文献２】特開２００８−８４４０５号公報
【特許文献３】特開２００４−２０６７６２号公報
【特許文献４】特開２００６−２１６１２３号公報
【発明の概要】
【発明が解決しようとする課題】
【０００９】
通常、光ディスク装置を使用する際、既に所望の光ディスクが挿入されている場合は直ぐに再生等を行えるが、光ディスクが挿入されていない場合は、開閉キー等を操作してトレイを引き出し、所望の光ディスクをトレイに載置し、再び開閉キー等を操作してトレイを引き込ませる必要がある。したがって、光ディスクが挿入されていない場合は必ず開閉キーを操作してトレイを引き出さなければならない。
【００１０】
そして、上記の特許文献１〜３ではこのようなトレイを引き出すための開閉キーの操作を必要としている。また、特許文献４では装置内に光ディスクが残っている場合にトレイを自動的に引き出すことに関して記載されているが、装置内に光ディスクがない場合については、開閉キーを操作してトレイを引き出す必要がある。
【００１１】
よって、従来の技術によれば、光ディスク装置を使用する際、光ディスクが挿入されていない場合は必ず開閉キーを操作してトレイを引き出さなければならず、操作が煩雑である。
【００１２】
本発明は、装置の状態に応じてトレイを自動で引き出すことにより、使い勝手を向上させた光ディスク装置を提供することを目的とする。
【課題を解決するための手段】
【００１３】
上記目的を達成するために本発明は、光ディスクを載置して装置本体から引き出す一方、装置本体内に引き込むトレイを備えた光ディスク装置において、光ディスクについての操作が可能になった場合に、前記トレイが引き込まれた状態でかつ装置本体内に光ディスクが挿入されていなければ、前記トレイを自動的に引き出すことを特徴とする。
【００１４】
上記の光ディスク装置において、前記光ディスクについての操作が可能になった場合とは、例えば、電源が投入された場合である。
【００１５】
また上記の光ディスク装置において、複数の記録媒体を再生する機能を有する場合、前記光ディスクについての操作が可能になった場合とは、例えば、光ディスクについての操作を有効にする光ディスクキーが押下された場合である。
【００１６】
また上記の光ディスク装置において、前記トレイを自動的に引き出す動作を有効又は無効にするセットアップ機能を備えてもよい。
【００１７】
また上記の光ディスク装置において、装置本体に操作部を備え、前記操作部が操作されて前記光ディスクについての操作が可能になった場合に、前記トレイが引き込まれた状態でかつ装置本体内に光ディスクが挿入されていなければ、前記トレイを自動的に引き出すようにしてもよい。
【００１８】
また上記の光ディスク装置において、リモコンからの信号を受信するリモコン受信部を備え、リモコンからの受信信号によって前記光ディスクについての操作が可能になった場合には、前記トレイを自動的に引き出さないようにしてもよい。
【発明の効果】
【００１９】
本発明によると、光ディスクについての操作が可能になった場合に、トレイが引き込まれた状態でかつ装置本体内に光ディスクが挿入されていなければ、トレイを自動的に引き出し、トレイが引き込まれた状態でかつ装置本体内に光ディスクが挿入されていれば、トレイを自動的に引き出さないことにより、ユーザは光ディスクが挿入されていない場合に必要であったトレイを引き出すための操作をしなくて済むので、ユーザの負担が減り、使い勝手が向上する。
【図面の簡単な説明】
【００２０】
【図１】本発明の光ディスク装置の構成及びその周辺機器を示すブロック図である。
【図２】本発明の光ディスク装置におけるトレイを自動的に引き出す動作に関する一例を示すフローチャートである。
【図３】本発明の光ディスク装置におけるトレイを自動的に引き出す動作に関する他の例を示すフローチャートである。
【図４】本発明の光ディスク装置のセットアップ画面の一例を示す図である。
【発明を実施するための形態】
【００２１】
以下、光ディスク装置の一例として、デジタルテレビ放送を受信して録画できるハードディスクドライブ（ＨＤＤ）一体型の光ディスク装置を用いて説明する。
【００２２】
図１は、光ディスク装置１０の構成及びその周辺機器を示すブロック図である。光ディスク装置１０には、テレビ等の表示装置１１が接続されている。また光ディスク装置１０は、リモコン１３によって操作可能である。以下では、光ディスクとしてＤＶＤを例に説明するが、本光ディスク装置１０はＢＤ（Blu-ray Disc）の録画／再生にも対応している。
【００２３】
光ディスク装置１０は、アンテナ１５で受信したデジタルテレビ放送信号を復調、デジタル化するチューナ１６と、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの映像信号をアナログ化し、表示装置１１へ出力する映像出力部２１と、映像／音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、操作部２５と、光ディスク装置１０の各部を制御する制御部２６とを備えている。
【００２４】
また、光ディスク装置１０は、ＤＶＤ又はＢＤを載置して装置本体から引き出す一方、装置本体内に引き込むトレイ（不図示）を備え、このトレイは制御部２６の制御のもと、モータ（不図示）によって駆動される。また、操作部２５は、ＤＶＤ又はＢＤについての操作を有効にするＢＤ／ＤＶＤキー２５ａ、ＨＤＤについての操作を有効にするＨＤＤキー２５ｂ、電源キー２５ｃ、トレイの引き出し及び引き込みを操作する開閉キー２５ｄを有する。なお、リモコン１３にも操作部２５と同様の上記キーが備えられているものとする。
【００２５】
また、制御部２６は、ＤＶＤ又はＢＤについての操作が可能になった場合に、トレイが引き込まれた状態でかつ装置本体内にＤＶＤ又はＢＤが挿入されていなければ、トレイを自動的に引き出すように指示する制御も行う。以下に、この制御について詳しく説明する。
【００２６】
図２は、光ディスク装置１０におけるトレイを自動的に引き出す動作に関する一例を示すフローチャートである。まず、光ディスク装置１０の電源が投入されると（電源ＯＮ）、ステップＳ１０において、ＢＤ／ＤＶＤモードか否かを判別する。ＢＤ／ＤＶＤモードは、ＢＤ又はＤＶＤについての操作が可能な状態のことであり、ＢＤ／ＤＶＤモードになっているときは、リモコンや操作部２５によって再生キーや録画キーが押下された場合に制御部２６はＢＤ／ＤＶＤ記録再生部１９を動作させ、挿入されているＢＤ又はＤＶＤの再生や録画を行う。ＢＤ／ＤＶＤモードになるのは、他のモードの状態においてＢＤ／ＤＶＤキー（光ディスクキー）２５ａが押下された場合と、ＢＤ／ＤＶＤモードの状態で電源がＯＦＦにされた場合の次回起動時とである。
【００２７】
また光ディスク装置１０は、ＨＤＤモードも備えている。このモードはＨＤＤについての操作が可能な状態のことであり、ＨＤＤモードになっているときは、リモコンや操作部２５によって再生キーや録画キーが押下された場合に制御部２６はＨＤＤ記録再生部１８を動作させ、ＨＤＤの再生や録画を行う。ＨＤＤモードになるのは、他のモードの状態においてＨＤＤキー２５ｂが押下された場合と、ＨＤＤモードの状態で電源がＯＦＦにされた場合の次回起動時とである。
【００２８】
ステップＳ１０においてＢＤ／ＤＶＤモードになっていない場合は、ステップＳ１１へ進んでＢＤ／ＤＶＤキー２５ａが押下されたか否かを判別する。そしてステップＳ１１においてＢＤ／ＤＶＤキー２５ａが押下されたと判別した場合、又はステップＳ１０において既にＢＤ／ＤＶＤモードになっている場合は、ステップＳ１２へ進んでトレイが引き込まれた状態か引き出された状態かを判別する。トレイが引き込まれた状態か引き出された状態かは、例えば、各種センサでトレイの位置を検出したり、トレイの動作を監視しておくことで判別できる。
【００２９】
ステップＳ１２においてトレイが引き込まれた状態の場合、ステップＳ１３へ進んで光ディスク装置１０本体内に光ディスク（ＢＤ又はＤＶＤ）が挿入されているか否かを判別する。ステップＳ１３において光ディスク装置１０本体内に光ディスクが挿入されていない状態である場合、ステップＳ１４へ進んでトレイを自動的に引き出す。つまり、空のトレイが引き出される。
【００３０】
そして、ステップＳ１４からステップＳ１５へ進んで電源がＯＦＦにされたか否かを判別し、ＯＦＦにされれば処理を終了し、ＯＮのままであればステップＳ１１に戻る。一方、ステップＳ１１においてＢＤ／ＤＶＤキー２５ａが押下されていないと判別した場合、ステップＳ１２においてトレイが引き出された状態の場合、ステップＳ１３において光ディスク装置１０本体内に光ディスクが挿入されている状態である場合は、ともにステップＳ１５へ進む。
【００３１】
このように、光ディスクについての操作が可能になった場合に、トレイが引き込まれた状態でかつ装置本体内に光ディスクが挿入されていなければ、トレイを自動的に引き出し、トレイが引き込まれた状態でかつ装置本体内に光ディスクが挿入されていれば、トレイを自動的に引き出さないことにより、ユーザは光ディスクが挿入されていない場合に必要であったトレイを引き出すための開閉キー２５ｄの操作をしなくて済むので、ユーザの負担が減り、使い勝手が向上する。
【００３２】
図３は、光ディスク装置１０におけるトレイを自動的に引き出す動作に関する他の例を示すフローチャートである。まず、光ディスク装置１０の電源が投入されると（電源ＯＮ）、ステップＳ２０において、ＢＤ／ＤＶＤモードか否かを判別する。
【００３３】
ステップＳ２０においてＢＤ／ＤＶＤモードになっていない場合は、ステップＳ２１へ進んでＢＤ／ＤＶＤキーが押下されたか否かを判別する。そしてステップＳ２１においてＢＤ／ＤＶＤキーが押下されたと判別した場合、ステップＳ２２へ進んでＢＤ／ＤＶＤキーが押下されたのは、リモコン１３の操作か操作部２５の操作かを判別する。リモコン１３の操作か操作部２５の操作かは、例えば、操作信号（受信信号）の入力経路を検出したり、リモコン１３からの信号と操作部２５からの信号に別々の識別子を付加したりすることで判別できる。
【００３４】
一方、ステップＳ２０において既にＢＤ／ＤＶＤモードになっている場合は、ステップＳ２３へ進んで電源ＯＮの操作がリモコン１３の操作か操作部２５の操作かを判別する。そして、ステップＳ２２又はステップＳ２３において、操作部２５の操作であると判別した場合は、ステップＳ２４へ進んでトレイが引き込まれた状態か引き出された状態かを判別する。
【００３５】
ステップＳ２４においてトレイが引き込まれた状態の場合、ステップＳ２５へ進んで光ディスク装置１０本体内に光ディスク（ＢＤ又はＤＶＤ）が挿入されているか否かを判別する。ステップＳ２５において光ディスク装置１０本体内に光ディスクが挿入されていない状態である場合、ステップＳ２６へ進んでトレイを自動的に引き出す。つまり、空のトレイが引き出される。
【００３６】
そして、ステップＳ２６からステップＳ２７へ進んで電源がＯＦＦにされたか否かを判別し、ＯＦＦにされれば処理を終了し、ＯＮのままであればステップＳ２１に戻る。一方、ステップＳ２１においてＢＤ／ＤＶＤキーが押下されていないと判別した場合、ステップＳ２２又はステップＳ２３においてリモコン１３の操作であると判別した場合、ステップＳ２４においてトレイが引き出された状態の場合、ステップＳ２５において光ディスク装置１０本体内に光ディスクが挿入されている状態である場合は、何れもステップＳ２７へ進む。
【００３７】
このように、操作部２５が操作されて光ディスクについての操作が可能になった場合に、トレイが引き込まれた状態でかつ装置本体内に光ディスクが挿入されていなければ、トレイを自動的に引き出し、リモコン１３からの受信信号によって光ディスクについての操作が可能になった場合に、トレイが引き込まれた状態でかつ装置本体内に光ディスクが挿入されていなければ、トレイを自動的に引き出さず、また、トレイが引き込まれた状態でかつ装置本体内に光ディスクが挿入されていれば、トレイを自動的に引き出さないことにより、ユーザは操作部２５を操作した際、光ディスクが挿入されていない場合に必要であったトレイを引き出すための開閉キー２５ｄの操作をしなくて済むので、ユーザの負担が減り、使い勝手が向上する。一方、リモコン１３が操作された際にはトレイを自動的に引き出さないようにしているので、光ディスク装置１０が前面扉付きのラック内に収納されているような場合に、トレイが自動で引き出されて前面扉にぶつかることを防止できる。
【００３８】
また本発明の光ディスク装置１０は、トレイを自動的に引き出す動作を有効又は無効にするセットアップ機能を備えるようにしてもよい。図４に、セットアップ画面の一例を示す。セットアップ画面３０は、「ＴＶ」、「ＣＥＣ」、「トレイオープン」などのセットアップ項目を一覧で示しており、それぞれの項目を矢印３１で選択するようになっている。そして、トレイオープンの項目には、「自動」と「手動」とがあり、どちらかを選択するようになっており、選択した方にチェックマーク３２が付く。「自動」は図２や図３で説明したトレイを自動的に引き出す動作を有効にする設定であり、「手動」はトレイを自動的に引き出す動作を無効にする設定である。
【００３９】
このように、トレイを自動的に引き出す動作を有効又は無効に設定できるので、ユーザは好みに応じて設定したり、ラックに前面扉がある等の使用環境に応じて設定したりすることができ、使い勝手が向上する。
【００４０】
なお、本発明において、光ディスクの再生及び／又は録画のみ可能な光ディスク装置など、光ディスク以外の記録媒体に対応していない装置の場合は、光ディスクについての操作に切り替えるキーが存在しないので、図２のステップＳ１０、ステップＳ１１及びステップＳ１５は不要であり、電源が投入されれば、直ぐにステップＳ１２を実行するようにすればよい。また図３ではステップＳ２０〜ステップＳ２２及びステップＳ２７が不要であり、電源が投入されれば、直ぐにステップＳ２３を実行するようにすればよい。
【産業上の利用可能性】
【００４１】
本発明は、ＣＤ、ＤＶＤ、ＢＤ等の光ディスクを再生するプレーヤや光ディスクを再生及び光ディスクに記録するレコーダなどの光ディスク装置をはじめ、該光ディスク装置にＨＤＤやビデオカセット等の他の記録媒体の再生機能や記録機能を付加した複合機にも利用することができる。
【符号の説明】
【００４２】
１０  光ディスク装置
１１  表示装置
１３  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  操作部
２５ａ  ＢＤ／ＤＶＤキー
２５ｂ  ＨＤＤキー
２５ｃ  電源キー
２５ｄ  開閉キー
２６  制御部
【図１】
2012018725.tif 000003
【図２】
2012018725.tif 000004
【図３】
2012018725.tif 000005
【図４】
2012018725.tif 000006